(57)【要約】【課題】落下させることなく使用者に異常を検知させることができるフローティングキャビネットを提供する。【解決手段】対象壁面に固定される取付部材と、取付部材の上に載置される載置部が設けられた背板を有するとともに、内部に物品を収納可能な収納空間を有するキャビネット本体と、取付部材の上に載置部が載置された状態で、キャビネット本体を対象壁面に固定する固定部材と、を備え、取付部材は、対象壁面から前方に向かって延び、載置部が載置される被載置部と、取付部材が対象壁面に固定された状態で被載置部において対象壁面から前方に離れた位置から上方に向かって延出された延出部と、を有し、載置部が被載置部の上に載置された状態において、延出部の上端と、延出部の上端と同じ高さにおける背板との間には、空隙が設けられていることを特徴とするフローティングキャビネットである。【選択図】図６
2018064690.tif 000002
【特許請求の範囲】
【請求項１】
床面から浮いた状態で対象壁面に取り付けられるフローティングキャビネットであって、
前記対象壁面に固定される取付部材と、
前記取付部材の上に載置される載置部が設けられた背板を有するとともに、内部に物品を収納可能な収納空間を有するキャビネット本体と、
前記取付部材の上に前記載置部が載置された状態で、前記キャビネット本体を前記対象壁面に固定する固定部材と、
を備え、
前記取付部材は、
前記対象壁面から前方に向かって延び、前記載置部が載置される被載置部と、
前記取付部材が前記対象壁面に固定された状態で、前記被載置部において前記対象壁面から前方に離れた位置から上方に向かって延出された延出部と、
を有し、
前記載置部が前記被載置部の上に載置された状態において、前記延出部の上端と、前記延出部の前記上端と同じ高さにおける前記背板との間には、空隙が設けられていることを特徴とするフローティングキャビネット。
【請求項２】
前記キャビネット本体は、前記対象壁面から離れる方向へ引き出し可能な引き出しを有することを特徴とする請求項１記載のフローティングキャビネット。
【請求項３】
前記延出部の上端は、前記載置部が前記被載置部の上に載置された状態において、前記背板の高さ方向の中央よりも上方に位置することを特徴とする請求項１又は２に記載のフローティングキャビネット。
【請求項４】
前記延出部は、上方に向かうに従って前記対象壁面からの距離が長くなるように傾斜していることを特徴とする請求項１〜３のいずれか１つに記載のフローティングキャビネット。
【請求項５】
前記被載置部は、
前記載置部が載置される第１部分と、
前記第１部分の前方に設けられ、前方に向かって下降傾斜した第２部分と、
を有し、
前記延出部は、前記第２部分から上方に延出することを特徴とする請求項１〜４のいずれか１つに記載のフローティングキャビネット。
【請求項６】
前記キャビネット本体の上に設けられた洗面ボウルと、
前記洗面ボウルの排水口と、前記床面又は前記対象壁面に設けられた排水管と、を接続する配管と、
前記配管と前記排水管との間に設けられ、弾性によって前記配管の撓みを許容する許容部と、
をさらに備えたことを特徴とする請求項１〜５のいずれか１つに記載のフローティングキャビネット。
【請求項７】
前記固定部材は、前記取付部材よりも上方に設けられることを特徴とする請求項１〜６のいずれか１つに記載のフローティングキャビネット。
【発明の詳細な説明】
【技術分野】
【０００１】
本発明の態様は、一般的に、フローティングキャビネットに関する。
【背景技術】
【０００２】
対象壁面に固定された取付部材に背板を引っ掛けることで、床面から浮いた状態で対象壁面に取り付けられるフローティングキャビネットが知られている（例えば特許文献１）。このようなフローティングキャビネットでは、床面から浮いた状態で対象壁面に取り付けられるため、全体的にすっきりとしたデザインとなり、高い意匠性を得ることができる。
【０００３】
一方で、キャビネットにおいては、内部に収納できる収納量を可能な限り増大させることが肝要であるが、フローティングキャビネットにおいては、収納量を増やせば増やすほど収納された収納物によって、その重量が増加し、取付部材へかかる負荷が増大してしまう。このため、取付部材が対象壁面から外れてしまう可能性が増大してしまう。
【０００４】
取付部材が対象壁面から外れてしまうと、フローティングキャビネットが落下し、床面と衝突してしまう。この際の衝突エネルギーは、フローティングキャビネット及びその内部に収納されている収納物の重量に比例して増大するため、収納量が多いフローティングキャビネットほど、落下の衝撃で、フローティングキャビネット及びその内部に収納されている収納物が破損する可能性が増大してしまう。
【０００５】
また、扉を固定している螺子が緩んだ際に、扉が床面まで落下する前に使用者に異常を検知させる機構を備えたキャビネットも知られている（例えば特許文献２）。このキャビネットにおいては、使用者に異常を検知させるために扉を一定量落下させる機構であるが、この機構をそのまま内部に収納物を収納可能なフローティングキャビネットの落下防止機構とすると、フローティングキャビネット及びその内部に収納されている収納物の重量が大きいことから、一定量落下した際に、そのまま止まらず、床面へ落下してしまう可能性が生じる。また、一定量落下して止まった場合でも、その落下のエネルギー（衝撃）により、フローティングキャビネットが破損してしまう可能性もある。
【０００６】
このため、フローティングキャビネットでは、キャビネットを落下させることなく、使用者が異常を検知できるようにすることが望まれる。
【先行技術文献】
【特許文献】
【０００７】
【特許文献１】特開２００５−１１８４３２号公報
【特許文献２】特開２０１２−２２５１５７号公報
【発明の概要】
【発明が解決しようとする課題】
【０００８】
本発明は、かかる課題の認識に基づいてなされたものであり、落下させることなく、使用者に異常を検知させることができるフローティングキャビネットを提供することを目的とする。
【課題を解決するための手段】
【０００９】
第１の発明は、床面から浮いた状態で対象壁面に取り付けられるフローティングキャビネットであって、前記対象壁面に固定される取付部材と、前記取付部材の上に載置される載置部が設けられた背板を有するとともに、内部に物品を収納可能な収納空間を有するキャビネット本体と、前記取付部材の上に前記載置部が載置された状態で、前記キャビネット本体を前記対象壁面に固定する固定部材と、を備え、前記取付部材は、前記対象壁面から前方に向かって延び、前記載置部が載置される被載置部と、前記取付部材が前記対象壁面に固定された状態で、前記被載置部において前記対象壁面から前方に離れた位置から上方に向かって延出された延出部と、を有し、前記載置部が前記被載置部の上に載置された状態において、前記延出部の上端と、前記延出部の前記上端と同じ高さにおける前記背板との間には、空隙が設けられていることを特徴とするフローティングキャビネットである。
【００１０】
このフローティングキャビネットによれば、載置部が取付部材の被載置部の上に載置された状態において、延出部の上端と、延出部の上端と同じ高さにおける背板との間に、空隙が設けられているため、固定部材による対象壁面に対するキャビネット本体の固定が外れてしまった場合に、キャビネット本体が前方へ移動可能となる。これにより、固定部材による対象壁面に対するキャビネット本体の固定が外れてしまった場合には、例えば、キャビネット本体の使用にともなって、キャビネット本体が前方に移動したり、キャビネット本体の上部のみが前方に移動して下端を軸にキャビネット本体が傾いた状態となることで、背板の裏面と対象壁面との間に隙間ができることとなる。このため、使用者は、隙間の発生により、異常を検知することができる。また、固定部材による固定が外れた場合にも、キャビネット本体が前方に移動したり、キャビネット本体が傾くのみで、キャビネット本体は落下しない。従って、キャビネット本体を落下させることなく、使用者に異常を検知させることができるフローティングキャビネットを提供することができる。
【００１１】
第２の発明は、第１の発明において、前記キャビネット本体は、前記対象壁面から離れる方向へ引き出し可能な引き出しを有することを特徴とするフローティングキャビネットである。
【００１２】
このフローティングキャビネットによれば、内部に物品を収納した状態で開閉動作を行う引き出しを前方に設けたことにより、通常行う引き出しの開動作によって、引き出し及びその内部に収納された物品が前方へ移動することで、キャビネット本体の重心が引き出しを閉じた状態よりも前方に移動し、キャビネット本体が下端を軸に前方へ傾き易くなる。これにより、固定部材による固定が外れた場合に、キャビネット本体を前方へ傾かせる頻度が高くなり、より早期に使用者に異常を検知させることができる。
【００１３】
第３の発明は、第１又は第２の発明において、前記延出部の上端は、前記載置部が前記被載置部の上に載置された状態において、前記背板の高さ方向の中央よりも上方に位置することを特徴とするフローティングキャビネットである。
【００１４】
このフローティングキャビネットによれば、固定部材の対象壁面に対する固定が外れ、キャビネット本体が傾いた場合に、背板に当接する延出部の上端が、載置部が被載置部の上に載置された状態において、背板の高さ方向の中央よりも上方に位置する。これにより、回転軸であるキャビネット本体の対象壁面に接する下端から離れた位置に、延出部の上端が設けられることとなり、キャビネット本体と当接した際に、取付部材へ加わる力を小さくすることができる。従って、キャビネット本体の傾きによって、取付部材自体が対象壁面から外れてしまうことを抑制することができる。
【００１５】
第４の発明は、第１〜第３の発明のいずれか１つにおいて、前記延出部は、上方に向かうに従って前記対象壁面からの距離が長くなるように傾斜していることを特徴とするフローティングキャビネットである。
【００１６】
このフローティングキャビネットによれば、キャビネット本体が傾いて延出部の上端に当接した際に、背板の表面に延出部の上端の角が当たり難くなり、背板を傷付けてしまう可能性を低減することができる。
【００１７】
第５の発明は、第１〜第４の発明のいずれか１つにおいて、前記被載置部は、前記載置部が載置される第１部分と、前記第１部分の前方に設けられ、前方に向かって下降傾斜した第２部分と、を有し、前記延出部は、前記第２部分から上方に延出することを特徴とするフローティングキャビネットである。
【００１８】
このフローティングキャビネットによれば、固定部材の対象壁面に対する固定が外れた場合に、キャビネット本体をより傾き易くすることができるとともに、キャビネット本体が傾いた状態となった後、正常な状態に戻ってしまうことを抑制し、より確実に使用者に異常を検知させることができる。
【００１９】
第６の発明は、第１〜第５の発明のいずれか１つにおいて、前記キャビネット本体の上に設けられた洗面ボウルと、前記洗面ボウルの排水口と、前記床面又は前記対象壁面に設けられた排水管と、を接続する配管と、前記配管と前記排水管との間に設けられ、弾性によって前記配管の撓みを許容する許容部と、をさらに備えたことを特徴とするフローティングキャビネットである。
【００２０】
このフローティングキャビネットによれば、洗面ボウルと配管とを設け、フローティングキャビネットを洗面台として利用する場合に、許容部を設けることで、キャビネット本体が傾いた際に、配管が損傷してしまうことを抑制することができる。
【００２１】
第７の発明は、第１〜第６の発明のいずれか１つにおいて、前記固定部材は、前記取付部材よりも上方に設けられることを特徴とするフローティングキャビネットである。
【００２２】
このフローティングキャビネットによれば、キャビネット本体に対してキャビネット本体の下端を軸に前方へ傾く力が発生した際には、キャビネット本体の上部であるほど（即ち、キャビネット本体の下端より離れるほど）、より対象壁面との間に隙間が生じやすくなるため、取付部材が対象壁面から外れてしまう前に固定部材が対象壁面から外れる構成となる。したがって、固定部材による固定が外れた場合に取付部材も対象壁面から外れてしまっているという事態が発生することを抑制でき、より確実に使用者に異常を検知させることができる。
【発明の効果】
【００２３】
本発明の態様によれば、落下させることなく、使用者が異常を検知することができるフローティングキャビネットが提供される。
【図面の簡単な説明】
【００２４】
【図１】実施形態に係るフローティングキャビネットを模式的に表す斜視図である。
【図２】実施形態に係るフローティングキャビネットを模式的に表す正面方向の断面図である。
【図３】実施形態に係るフローティングキャビネットを模式的に表す側面方向の断面図である。
【図４】実施形態に係る取付部材を模式的に表す斜視図である。
【図５】実施形態に係る取付部材を模式的に表す側面方向の断面図である。
【図６】実施形態に係るフローティングキャビネットにおいて固定が外れた状態を模式的に表す側面方向の参考の断面図である。
【図７】実施形態に係る取付部材の変形例を模式的に表す側面方向の断面図である。
【図８】実施形態に係る取付部材の変形例を模式的に表す側面方向の断面図である。
【図９】実施形態に係るフローティングキャビネットの変形例を模式的に表す側面方向の断面図である。
【発明を実施するための形態】
【００２５】
以下、本発明の実施の形態について図面を参照しつつ説明する。なお、各図面中、同様の構成要素には同一の符号を付して詳細な説明は適宜省略する。  
図１は、実施形態に係るフローティングキャビネットを模式的に表す斜視図である。  
図１に表したように、フローティングキャビネット１０は、キャビネット本体１２を備える。キャビネット本体１２は、例えば、略直方体の中空箱状であり、内部の空間に物品を収納する。
【００２６】
キャビネット本体１２は、床面ＦＳから浮いた状態で対象壁面ＷＳに取り付けられる。これにより、フローティングキャビネット１０では、例えば、床面ＦＳの上に設置された所謂フロアキャビネットなどと比べて、すっきりとした印象を使用者に与え、高いデザイン性を得ることができる。
【００２７】
フローティングキャビネット１０は、洗面ボウル１４と、水栓部１６と、をさらに備える。洗面ボウル１４は、キャビネット本体１２の上に設けられる。水栓部１６は、キャビネット本体１２、又は、ボウル部１４の上に設けられ、洗面ボウル１４に向けて水を吐出する。フローティングキャビネット１０は、換言すれば、洗面台である。このように、フローティングキャビネット１０は、例えば、洗面台として用いられる。
【００２８】
フローティングキャビネット１０は、洗面台に限ることなく、例えば、システムキッチンなど、他の用途に適用してもよい。洗面ボウル１４及び水栓部１６は、例えば、フローティングキャビネット１０とは別に、対象壁面ＷＳなどに取り付けてもよい。フローティングキャビネット１０において、洗面ボウル１４及び水栓部１６は、必要に応じて設けられ、省略可能である。
【００２９】
図２は、実施形態に係るフローティングキャビネットを模式的に表す正面方向の断面図である。  
図３は、実施形態に係るフローティングキャビネットを模式的に表す側面方向の断面図である。  
図２及び図３に表したように、キャビネット本体１２は、背板２０と、天板２１と、底板２２と、一対の側板２３と、を有する。キャビネット本体１２は、これらによって内部に物品を収納可能な収納空間ＳＳを形成する。キャビネット本体１２は、例えば、前方を開口させた開口箱状である。
【００３０】
また、キャビネット本体１２は、対象壁面ＷＳから離れる方向（前方）へ引き出し可能な引き出し２４を有する。引き出し２４は、収納空間ＳＳ内に収納された位置と、収納空間ＳＳ内から前方へ引き出された位置と、の間で前後方向に移動可能にキャビネット本体１２に取り付けられる。引き出し２４は、上方を開口させた開口箱状である。引き出し２４は、前方へ引き出された状態において上方から内部に物品を収納可能とする。そして、引き出し２４は、収納空間ＳＳ内に収納された状態において、キャビネット本体１２の前方の開口を塞ぐ。
【００３１】
この例では、キャビネット本体１２が、１つの引き出し２４を有する。キャビネット本体１２は、例えば、複数の引き出しを有してもよい。また、キャビネット本体１２は、引き出し２４によって前方の開口を塞ぐ構成に限ることなく、例えば、開閉可能に軸支される扉によって前方の開口を塞ぐ構成などでもよい。
【００３２】
フローティングキャビネット１０は、取付部材３０と、固定部材３２と、配管３４と、許容部３６と、をさらに備える。取付部材３０は、対象壁面ＷＳに固定される。取付部材３０は、例えば、クランク状に折り曲げられた板状の部材である。取付部材３０は、キャビネット本体１２の対象壁面ＷＳへの取り付けの際などに、キャビネット本体１２を一時的に支持する。フローティングキャビネット１０は、例えば、２つの取付部材３０を有する。取付部材３０の数は、２つに限ることなく、１つでもよいし、３つ以上でもよい。
【００３３】
キャビネット本体１２の背板２０には、２つの取付部材３０に対応して設けられた２つの貫通孔２５が設けられている。キャビネット本体１２は、各貫通孔２５の上縁部を各取付部材３０の上に載置し、各取付部材３０に支持されることにより、床面ＦＳから浮いた状態で対象壁面ＷＳに取り付けられる。
【００３４】
このように、この例では、各貫通孔２５の上縁部が、取付部材３０の上に載置される載置部２６として機能する。載置部２６は、貫通孔２５の上縁部に限ることなく、取付部材３０の上に載置可能な任意の構成でよい。例えば、１つの貫通孔２５（載置部２６）を２つの取付部材３０に共通に用いてもよい。１つの貫通孔２５の上縁部を２つの取付部材３０の上に載置してもよい。このように、載置部２６の数は、必ずしも取付部材３０の数と同じでなくてもよい。
【００３５】
固定部材３２は、各取付部材３０の上に各載置部２６が載置された状態で、キャビネット本体１２を対象壁面ＷＳに固定する。固定部材３２は、例えば、背板２０に取り付けられる。また、固定部材３２は、例えば、複数設けられる。この例では、上方の左右の角部付近に２つずつ、高さ方向の中央付近の左右両端部に１つずつ、合計６つの固定部材３２で、キャビネット本体１２が対象壁面ＷＳに固定される。固定部材３２の数は、キャビネット本体１２を対象壁面ＷＳに適切に固定可能な任意の数でよい。
【００３６】
固定部材３２は、例えば、タッピングネジである。固定部材３２は、例えば、対象壁面ＷＳとネジ頭との間に背板２０を挟む込むことにより、キャビネット本体１２を対象壁面ＷＳに固定する。固定部材３２は、キャビネット本体１２を対象壁面ＷＳに適切に固定可能な任意の部材でよい。
【００３７】
複数の固定部材３２のうちの少なくとも一部は、各取付部材３０よりも上方に設けられる。これにより、各固定部材３２による固定後においては、キャビネット本体１２に対する下向きの荷重が、各取付部材３０よりも、各取付部材３０より上方に位置する固定部材３２に強く加わるようになる。これにより、各取付部材３０が各固定部材３２よりも先に対象壁面ＷＳから外れてしまうことを抑制することができる。
【００３８】
洗面ボウル１４は、排水口１４ａを有する。洗面ボウル１４は、水栓部１６から吐出された水を受け、排水口１４ａから外部に排出する。床面ＦＳには、排水管２と給水管４と給湯管６とが設けられている。配管３４は、洗面ボウル１４の排水口１４ａと、床面ＦＳに設けられた排水管２と、を接続する。この例において、配管３４は、いわゆるＳ字トラップである。配管３４には、例えば、ステンレスなどの金属材料が用いられる。これにより、例えば、キャビネット本体１２の下方に露出する配管３４の意匠性を高めることができる。
【００３９】
許容部３６は、配管３４と排水管２との間に設けられ、弾性によって配管３４の撓みを許容する。換言すれば、許容部３６は、弾性によって配管３４の傾きを許容する。また、許容部３６は、例えば、配管３４と排水管２との間の隙間を埋めることにより、悪臭や害虫等が排水管２から室内に侵入することを抑制する。許容部３６には、例えば、ゴムなどの樹脂材料が用いられる。
【００４０】
水栓部１６は、例えば、吐水口１６ａを有する吐水部１６ｂと、操作部１６ｃと、を有する。操作部１６ｃは、例えば、吐水口１６ａからの水の吐止水を切り替えるとともに、吐水口１６ａから吐出される水の流量及び温度を調整する。
【００４１】
水栓部１６は、例えば、可撓性を有するホース１６ｄ、１６ｅを介して給水管４及び給湯管６に接続される。ホース１６ｄ、１６ｅには、例えば、ゴムホースやフレキシブルメタルホースなどが用いられる。給水管４からの水及び給湯管６からのお湯は、ホース１６ｄ、１６ｅを介して水栓部１６に供給される。水栓部１６は、操作部１６ｃの操作に応じて水及びお湯のそれぞれの流量を調整し、水及びお湯を混合して吐水口１６ａから吐出する。これにより、操作部１６ｃの操作に応じて吐止水が切り替えられるとともに、流量及び温度が調整される。操作部１６ｃは、吐水部１６ｂと別に設けてもよい。
【００４２】
図４は、実施形態に係る取付部材を模式的に表す斜視図である。  
図５は、実施形態に係る取付部材を模式的に表す側面方向の断面図である。  
図４及び図５に表したように、各取付部材３０は、被固定部５０と、被載置部５２と、延出部５４と、を有する。
【００４３】
被固定部５０は、取付部材３０において対象壁面ＷＳに固定される部分である。被固定部５０は、板状であり、対象壁面ＷＳに当接した状態で、３つの固定部材５６によって対象壁面ＷＳに固定される。被固定部５０には、各固定部材５６を挿通するための３つの貫通孔が設けられる。各貫通孔は、左右方向に並べて配置される。この際、中央の貫通孔は、上下方向に延びる長穴５０ａとなっている。これにより、取付部材３０を対象壁面ＷＳに固定する際に、取付部材３０の傾きや上下方向の位置を調整し易くすることができる。
【００４４】
被固定部５０の構成は、上記に限ることなく、取付部材３０を対象壁面ＷＳに固定可能な任意の構成でよい。固定部材５６には、例えば、タッピングネジが用いられる。固定部材５６は、取付部材３０を対象壁面ＷＳに固定可能な任意の部材でよい。また、固定部材５６の数は、３つに限ることなく、取付部材３０を対象壁面ＷＳに固定可能な任意の数でよい。
【００４５】
キャビネット本体１２の背板２０に設けられた貫通孔２５を前方から見た形状は、被固定部５０を前方から見た形状よりも大きい。被固定部５０は、キャビネット本体１２を対象壁面ＷＳに取り付けた状態において、貫通孔２５内に配置される。これにより、キャビネット本体１２を対象壁面ＷＳに取り付けた際に、背板２０と対象壁面ＷＳとの間に被固定部５０が挟まり、背板２０と対象壁面ＷＳとの間に隙間ができてしまうことを抑制することができる。取付部材３０を介してキャビネット本体１２を対象壁面ＷＳに取り付ける際にも、背板２０の裏面を対象壁面ＷＳに当接させることができる。
【００４６】
被載置部５２は、被固定部５０が対象壁面ＷＳに固定された状態において、対象壁面ＷＳから前方に向かって延びる。被載置部５２は、例えば、被固定部５０の上端から前方に向かって延びる略水平な板状である。これにより、取付部材３０においては、キャビネット本体１２の載置部２６が、被載置部５２の上に載置される。換言すれば、被載置部５２は、キャビネット本体１２の載置部２６を支持する。被載置部５２の構成は、載置部２６を載置可能な任意の構成でよい。
【００４７】
延出部５４は、取付部材３０が対象壁面ＷＳに固定された状態で、被載置部５２において対象壁面ＷＳから前方に離れた位置から上方に向かって延出する。延出部５４は、例えば、被載置部５２の前端から上方に向かって延出する。延出部５４は、例えば、被載置部５２の前端から上方に向かって略垂直に延びる板状の部材である。延出部５４の延出する位置（延出部５４の下端）は、延出部５４と対象壁面ＷＳとの間に載置部２６（背板２０）を挿通可能な任意の位置でよい。
【００４８】
被載置部５２の前後方向の長さＬ１は、載置部２６の前後方向の長さＬ２よりも長い。被載置部５２の前後方向の長さＬ１は、換言すれば、対象壁面ＷＳから被載置部５２の前端までの前後方向の距離である。載置部２６の前後方向の長さＬ２は、換言すれば、背板２０の厚さである。これにより、載置部２６が被載置部５２の上に載置された状態において、延出部５４の上端５４ａと、延出部５４の上端５４ａと同じ高さにおける背板２０との間には、空隙ＡＧが設けられる。延出部５４の上端５４ａと背板２０との間の前後方向の距離Ｄ１は、例えば、８ｍｍ（５ｍｍ以上１０ｍｍ以下）である。
【００４９】
各貫通孔２５の上縁部である各載置部２６は、背板２０の高さ方向の中央ＭＰ（図３参照）よりも上方に設けられる。このため、延出部５４の上端５４ａは、載置部２６が被載置部５２の上に載置された状態において、背板２０の高さ方向の中央ＭＰよりも上方に位置する。この例では、各貫通孔２５及び各取付部材３０の略全体が、背板２０の高さ方向の中央ＭＰよりも上方に設けられる。
【００５０】
フローティングキャビネット１０を対象壁面ＷＳに取り付ける際には、まず、長穴５０ａと１つの固定部材５６とにより、各取付部材３０を対象壁面ＷＳに仮止めする。この後、背板２０の各載置部２６を各取付部材３０の被載置部５２に載置することにより、キャビネット本体１２を対象壁面ＷＳに取り付ける。この際、必要に応じて各取付部材３０の高さや傾きを調整することにより、キャビネット本体１２の高さや傾きを調整する。
【００５１】
キャビネット本体１２の天板２１が略水平となるように調整した後、各固定部材５６によって各取付部材３０を対象壁面ＷＳに固定する。そして、各固定部材３２により、キャビネット本体１２を対象壁面ＷＳに固定する。この後、キャビネット本体１２に洗面ボウル１４や水栓部１６を取り付け、配管３４や各ホース１６ｄ、１６ｅを接続する。これにより、フローティングキャビネット１０の対象壁面ＷＳへの取り付けが完了する。
【００５２】
このように、フローティングキャビネット１０では、キャビネット本体１２を各取付部材３０に載置することで、キャビネット本体１２の対象壁面ＷＳへの取り付けを行うことができる。これにより、例えば、キャビネット本体１２を対象壁面ＷＳに直接ネジ止めする場合などに比べて、取り付けの作業性を向上させることができる。例えば、少ない人数でフローティングキャビネット１０の対象壁面ＷＳへの取り付け作業を行うことができる。
【００５３】
図６は、実施形態に係るフローティングキャビネットにおいて固定が外れた状態を模式的に表す側面方向の参考の断面図である。  
フローティングキャビネット１０では、例えば、キャビネット本体１２に対して下方への過度な荷重が加わった際などに、各固定部材３２による対象壁面ＷＳに対するキャビネット本体１２の固定が外れてしまう場合がある。
【００５４】
これに対して、本実施形態に係るフローティングキャビネット１０では、載置部２６が各取付部材３０の被載置部５２の上に載置された状態において、延出部５４の上端５４ａと、延出部５４の上端５４ａと同じ高さにおける背板２０との間に、空隙ＡＧが設けられているため、各固定部材３２による対象壁面ＷＳに対するキャビネット本体１２の固定が外れてしまった場合に、キャビネット本体１２が前方へ移動可能となる。
【００５５】
これにより、固定部材３２による対象壁面ＷＳに対するキャビネット本体１２の固定が外れてしまった場合には、図６に表したように、例えば、キャビネット本体１２の使用にともなって、キャビネット本体１２が前方に移動したり、キャビネット本体１２の上部のみが前方に移動して、キャビネット本体１２の対象壁面ＷＳに接する下端１２ｂを軸にキャビネット本体１２が傾いた状態となることで、背板２０の裏面と対象壁面ＷＳとの間に隙間ＳＰができることとなる。このため、使用者は、隙間ＳＰの発生により、異常を検知することができる。また、各固定部材３２による固定が外れた場合にも、キャビネット本体１２が前方に移動したり、キャビネット本体１２が傾くのみで、キャビネット本体１２は落下しない。従って、キャビネット本体１２を落下させることなく、使用者に異常を検知させることができるフローティングキャビネット１０を提供することができる。
【００５６】
隙間ＳＰの幅は、例えば、０．５ｍｍ以上１０ｍｍ以下である。隙間ＳＰの幅は、換言すれば、背板２０の裏面の上端と対象壁面ＷＳとの間の前後方向の距離である。また、キャビネット本体１２が傾いた状態において、背板２０の裏面と対象壁面ＷＳとの成す角度θは、例えば、２°以上１０°以下である。各取付部材３０は、隙間ＳＰの幅や角度θが上記の範囲となるように、被載置部５２の長さや延出部５４の長さなどを設定する。これにより、例えば、適切な幅の隙間ＳＰを形成し、より確実に使用者に異常を検知させることができるとともに、キャビネット本体１２が傾き過ぎて各取付部材３０に大きな力が加わり、各取付部材３０が対象壁面ＷＳから外れてしまうことなどを抑制することができる。
【００５７】
また、フローティングキャビネット１０によれば、内部に物品を収納した状態で開閉動作を行う引き出し２４を前方に設けたことにより、通常行う引き出し２４の開動作によって、引き出し２４及びその内部に収納された物品が前方へ移動することで、キャビネット本体１２の重心が引き出し２４を閉じた状態よりも前方に移動し、キャビネット本体１２が下端１２ｂを軸に前方へ傾き易くなる。これにより、各固定部材３２による固定が外れた場合に、キャビネット本体１２を前方へ傾かせる頻度が高くなり、より早期に使用者に異常を検知させることができる。
【００５８】
また、フローティングキャビネット１０では、各固定部材３２の対象壁面ＷＳに対する固定が外れ、キャビネット本体１２が傾いた場合に、背板２０に当接する延出部５４の上端５４ａが、載置部２６が被載置部５２の上に載置された状態において、背板２０の高さ方向の中央ＭＰよりも上方に位置する。これにより、回転軸であるキャビネット本体１２の対象壁面ＷＳに接する下端１２ｂから離れた位置に、延出部５４の上端５４ａが設けられることとなり、キャビネット本体１２と当接した際に、各取付部材３０へ加わる力を小さくすることができる。従って、キャビネット本体１２の傾きによって、各取付部材３０自体が対象壁面ＷＳから外れてしまうことを抑制することができる。
【００５９】
また、フローティングキャビネット１０では、配管３４と排水管２との間に設けられ、弾性によって配管３４の撓みを許容する許容部３６を備える。これにより、洗面ボウル１４と配管３４とを設け、フローティングキャビネット１０を洗面台として利用する場合に、配管３４の撓み（傾き）が、許容部３６によって許容される。従って、キャビネット本体１２が傾いた際に、配管３４や排水管２が損傷してしまうことを抑制することができる。
【００６０】
また、フローティングキャビネット１０では、水栓部１６が、可撓性を有するホース１６ｄ、１６ｅを介して給水管４及び給湯管６に接続される。従って、キャビネット本体１２が傾いた際に、各ホース１６ｄ、１６ｅが撓むことにより、水栓部１６、給水管４、給湯管６が損傷してしまうことを抑制することもできる。
【００６１】
また、フローティングキャビネット１０では、複数の固定部材３２のうちの少なくとも一部が、各取付部材３０よりも上方に設けられる。これにより、キャビネット本体１２に対してキャビネット本体１２の下端１２ｂを軸に前方へ傾く力が発生した際には、キャビネット本体１２の上部であるほど（即ち、キャビネット本体１２の下端１２ｂより離れるほど）、より対象壁面ＷＳとの間に隙間ＳＰが生じやすくなるため、取付部材３０が対象壁面ＷＳから外れてしまう前に固定部材３２が対象壁面ＷＳから外れる構成となる。したがって、固定部材３２による固定が外れた場合に取付部材３０も対象壁面ＷＳから外れてしまっているという事態が発生することを抑制でき、より確実に使用者に異常を検知させることができる。
【００６２】
図７は、実施形態に係る取付部材の変形例を模式的に表す側面方向の断面図である。  
図７に表したように、この例においては、取付部材３０の延出部５４が、上方に向かうに従って対象壁面ＷＳからの距離が長くなるように傾斜している。すなわち、延出部５４が、手前側に傾いている。なお、上記実施形態と機能・構成上実質的に同じものについては、同符号を付し、詳細な説明を省略する。
【００６３】
この例の取付部材３０においては、キャビネット本体１２が傾いて延出部５４の上端５４ａに当接した際に、背板２０の表面に延出部５４の上端５４ａの角が当たり難くなり、背板２０を傷付けてしまう可能性を低減することができる。
【００６４】
また、この例において、被載置部５２の前後方向の長さは、載置部２６の前後方向の長さと実質的に同じである。このように、延出部５４の下端と背板２０との間には、必ずしも空隙ＡＧが設けられていなくてもよい。取付部材３０においては、載置部２６が被載置部５２の上に載置された状態において、少なくとも延出部５４の上端５４ａと、延出部５４の上端５４ａと同じ高さにおける背板２０との間に、空隙ＡＧが設けられていればよい。
【００６５】
図８は、実施形態に係る取付部材の変形例を模式的に表す側面方向の断面図である。  
図８に表したように、この例においては、取付部材３０の被載置部５２が、載置部２６が載置される第１部分５２ａと、第１部分５２ａの前方に設けられ、前方に向かって下降傾斜した第２部分５２ｂと、を有する。そして、延出部５４は、第２部分５２ｂから上方に延出する。延出部５４は、例えば、第２部分５２ｂの前端から上方に延出する。
【００６６】
この例の取付部材３０では、各固定部材３２の対象壁面ＷＳに対する固定が外れた場合に、キャビネット本体１２をより傾き易くすることができるとともに、キャビネット本体１２が傾いた状態となった後、正常な状態に戻ってしまうことを抑制し、より確実に使用者に異常を検知させることができる。
【００６７】
図９は、実施形態に係るフローティングキャビネットの変形例を模式的に表す側面方向の断面図である。  
図９に表したように、この例では、排水管２が対象壁面ＷＳに設けられている。配管３４は、洗面ボウル１４の排水口１４ａと、対象壁面ＷＳに設けられた排水管２と、を接続する。この例において、配管３４は、いわゆるＵ字管である。
【００６８】
このように、排水管２は、対象壁面ＷＳに設けられていてもよい。同様に、給水管４及び給湯管６は、対象壁面ＷＳに設けられていてもよい。この場合にも、水栓部１６は、例えば、可撓性を有するホース１６ｄ、１６ｅを介して給水管４及び給湯管６と接続することができる。
【００６９】
また、洗面ボウル１４の排水口１４ａと、対象壁面ＷＳに設けられた排水管２と、を配管３４で接続する場合にも、弾性によって配管３４の撓みを許容する許容部３６を、配管３４と排水管２との間に設ける。これにより、この例においても、上記実施形態と同様に、キャビネット本体１２が傾いた際に、配管３４や排水管２が損傷してしまうことを抑制することができる。
【００７０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、フローティングキャビネット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７１】
２ 排水管、  ４ 給水管、  ６ 給湯管、  １０ フローティングキャビネット、  １２ キャビネット本体、  １４ 洗面ボウル、  １６ 水栓部、  ２０ 背板、  ２１ 天板、  ２２ 底板、  ２３ 側板、  ２４ 引き出し、  ２５ 貫通孔、  ２６ 載置部、  ３０ 取付部材、  ３２ 固定部材、  ３４ 配管、  ３６ 許容部、  ５０ 被固定部、  ５２ 被載置部、  ５４ 延出部、  ５６ 固定部材
【図１】
2018064690.tif 000003
【図２】
2018064690.tif 000004
【図３】
2018064690.tif 000005
【図４】
2018064690.tif 000006
【図５】
2018064690.tif 000007
【図６】
2018064690.tif 000008
【図７】
2018064690.tif 000009
【図８】
2018064690.tif 000010
【図９】
2018064690.tif 000011